(57)【要約】【課題】泥濘地と砂地との双方において優れた悪路走破性を発揮することができる空気入りタイヤと、その空気入りタイヤの装着方法を提供すること。【解決手段】一対のビード部１と、そのビード部１からタイヤ径方向外側に延びるサイドウォール部２と、そのサイドウォール部２の各々のタイヤ径方向外側端に連なるトレッド部３とを備えた空気入りタイヤＴにおいて、両側のバットレス部９にタイヤ周方向Ｒに沿って配置された複数の突起５からなる突起群が設けられ、前記突起群の各々が、タイヤ周方向Ｒの一方向に向かって突出高さが漸減するように各突起５の外側面５ａを傾斜させると共に、タイヤ周方向Ｒに対する突起５の外側面５ａの傾斜方向を互いに一致させている。【選択図】図１
2010188975.tif 000002
【特許請求の範囲】
【請求項１】
一対のビード部と、そのビード部からタイヤ径方向外側に延びるサイドウォール部と、そのサイドウォール部の各々のタイヤ径方向外側端に連なるトレッド部とを備えた空気入りタイヤにおいて、
両側のバットレス部にタイヤ周方向に沿って配置された複数の突起からなる突起群が設けられ、前記突起群の各々が、タイヤ周方向の一方向に向かって突出高さが漸減するように各突起の外側面を傾斜させると共に、タイヤ周方向に対する前記突起の外側面の傾斜方向を互いに一致させていることを特徴とする空気入りタイヤ。
【請求項２】
前記突起の突出高さが低い側の縁部が、タイヤ子午線に対して傾斜し、タイヤ軸方向から見てタイヤ周方向の一方向に向かって先細りに形成されている請求項１に記載の空気入りタイヤ。
【請求項３】
前記突起の突出高さが高い側の縁部が、タイヤ子午線に対して略平行に延びる請求項１又は２に記載の空気入りタイヤ。
【請求項４】
前記突起の外側面の少なくとも一部が、複数の小突起を並べてなる凹凸面で形成されている請求項１〜３いずれか１項に記載の空気入りタイヤ。
【請求項５】
前記突起のタイヤ径方向及びタイヤ周方向の最大長さが突出高さよりも大きい請求項１〜４いずれか１項に記載の空気入りタイヤ。
【請求項６】
請求項１〜５いずれか１項に記載の空気入りタイヤを、同軸位置の左右両側にて、タイヤ回転方向に対する前記突起の外側面の傾斜方向を互いに一致させて装着する空気入りタイヤの装着方法。
【発明の詳細な説明】
【技術分野】
【０００１】
本発明は、悪路走行を目的とした空気入りタイヤと、その空気入りタイヤの装着方法とに関するものである。
【背景技術】
【０００２】
悪路走行を目的としたオフロード用の空気入りタイヤでは、平坦な舗装路または未舗装路の走行のみならず、泥濘地を含む不整地悪路の走行も考慮しなければならない。そのため、平坦な舗装路での通常走行時には接地しないバットレス部に突起を設けて、泥濘地に沈み込んだ場合に、該突起の剪断抵抗によりトラクションを発生できるようにしたタイヤが知られている（例えば、下記特許文献１）。また、そのような突起によって、悪路走行時の耐外傷性を向上することも知られている（例えば、下記特許文献２）。
【０００３】
しかし、オフロードレースでは、走行コース内に、泥濘地だけでなく、砂漠などの砂地が含まれる場合もある。かかる砂地では、乾燥した小粒径の砂が集まっているため、泥濘地とはタイヤの挙動が大きく異なる。即ち、上記の如き突起を有するタイヤであっても、砂地に沈み込んだ場合には、路面から得られる剪断抵抗が小さくタイヤが空転し易いために、トラクションが発生し難い。寧ろ、突起により車両の後方や側方に砂が掻き出されるため、接地面付近の砂が消失し易く、タイヤの埋没が進行して走行不能の状態に陥る恐れがある。
【０００４】
タイヤが砂地に沈み込んだときには、接地面積を確保してタイヤの埋没の進行を防ぐことが重要であり、その為には砂を不用意に掻き出さないことが肝要である。このように、泥濘地においては、バットレス部に設けた突起によりトラクションを発揮して悪路走破性が向上するものの、砂地においては、その突起により砂が掻き出されることで却って悪路走破性が悪化するのであり、この点につき、泥濘地での悪路走破性と砂地での悪路走破性とは背反する関係にあると言える。
【０００５】
上記のような事情からして、泥濘地で使用するタイヤと砂地で使用するタイヤとを別々に準備しておくことも考えられるが、不経済で且つ煩雑であるため実用的ではない。また、オフロードレースにおいては、スペアタイヤの搭載本数に限りがあること、レースのレギュレーションによりタイヤの銘柄数が制約される場合があることから、それぞれの悪路走破性に特化したタイヤを準備するのは困難なことが多い。
【０００６】
下記特許文献３には、サイドウォール部外表面のトレッド部側にヒレ状の突起片を設けた空気入りタイヤが記載されている。しかしながら、当該タイヤは、湿潤路面を走行した際の水飛沫の飛散を突起片によって防ぐものに過ぎず、上記のような泥濘地及び砂地での悪路走破性の問題に関して、その解決手段を何ら開示するものではない。
【先行技術文献】
【特許文献】
【０００７】
【特許文献１】特開平１１−２９１７１８号公報
【特許文献２】特開２００４−２９１９３６号公報
【特許文献３】特開２００７−２９７０３５号公報
【発明の概要】
【発明が解決しようとする課題】
【０００８】
本発明は上記実情に鑑みてなされたものであり、その目的は、泥濘地と砂地との双方において優れた悪路走破性を発揮することができる空気入りタイヤと、その空気入りタイヤの装着方法を提供することにある。
【課題を解決するための手段】
【０００９】
上記目的は、下記の如き本発明により達成できる。即ち、本発明に係る空気入りタイヤは、  一対のビード部と、そのビード部からタイヤ径方向外側に延びるサイドウォール部と、そのサイドウォール部の各々のタイヤ径方向外側端に連なるトレッド部とを備えた空気入りタイヤにおいて、両側のバットレス部にタイヤ周方向に沿って配置された複数の突起からなる突起群が設けられ、前記突起群の各々が、タイヤ周方向の一方向に向かって突出高さが漸減するように各突起の外側面を傾斜させると共に、タイヤ周方向に対する前記突起の外側面の傾斜方向を互いに一致させているものである。
【００１０】
この空気入りタイヤでは、上記のように突起の外側面の傾斜方向がタイヤ周方向の一方向に設定されていることから、装着方向に応じて、突起の突出高さが高い側をタイヤ回転方向の前方に向ける場合と、突起の突出高さが低い側をタイヤ回転方向の前方に向ける場合との２つの装着パターンを採り得る。これらの装着パターンは、それぞれ泥濘地、砂地の悪路走破性に優れたものであり、走破すべき悪路が泥濘地であるか砂地であるかに応じて適宜に選択され得る。この結果、本発明の空気入りタイヤによれば、泥濘地と砂地との双方において優れた悪路走破性を発揮することができる。
【００１１】
前者の装着パターンを採用した場合、本発明のタイヤは泥濘地の走破に適したものとなる。即ち、泥濘地に沈み込んだ状態で当該タイヤを回転させると、突起が突出高さの高い側を先頭にして泥濘地内を進行するために泥を的確に掻くことができ、この突起による剪断抵抗を利用してトラクションを効果的に発生させることができる。また、このような突起からなる突起群が両側のバットレス部に設けられていることから、泥濘地での悪路走破性を向上するのに有効なトラクションを発生できる。
【００１２】
他方、後者の装着パターンを採用した場合には、本発明のタイヤは砂地の走破に適したものとなる。即ち、砂地に沈み込んだ状態で当該タイヤを回転させると、突起が突出高さの低い側を先頭にして砂地内を進行するために砂の掻き出しが抑えられ、逆にタイヤ前方に砂を押し付けるように作用することで、接地面積を確保してタイヤの埋没の進行を防ぐことができる。しかも、このような突起からなる突起群が両側のバットレス部に設けられていることから、砂の掻き出しを極力抑えて砂地での悪路走破性を確実に向上できる。
【００１３】
上記において、前記突起の突出高さが低い側の縁部が、タイヤ子午線に対して傾斜し、タイヤ軸方向から見てタイヤ周方向の一方向に向かって先細りに形成されているものが好ましい。これにより、砂地を走破する場合において、先細りとなる縁部を先頭にして突起が砂地内を進行するため、突起による砂の掻き出しを効果的に抑えて、タイヤの埋没の進行をより確実に防ぐことができる。
【００１４】
上記において、前記突起の突出高さが高い側の縁部が、タイヤ子午線に対して略平行に延びるものが好ましい。これにより、泥濘地を走破する場合において、タイヤ子午線に対して略平行に延びた縁部を先頭にして突起が泥濘地内を進行するため、突起による剪断抵抗を効果的に高めて、トラクションを効率良く発揮することができる。
【００１５】
上記において、前記突起の外側面の少なくとも一部が、複数の小突起を並べてなる凹凸面で形成されているものが好ましい。これにより、泥濘地を走破する場合において、タイヤ回転時の遠心力に伴い、突起の外側面に粘着した泥が除去され易くなる。
【００１６】
上記において、前記突起のタイヤ径方向及びタイヤ周方向の最大長さが突出高さよりも大きいものが好ましい。かかる突起の形状により、泥濘地での悪路走破性の向上効果を適切に得ることができる。即ち、突起のタイヤ径方向またはタイヤ周方向の最大長さが突出高さよりも小さいと、突起がヒレ状に形成されるため、泥濘地の走破時には、突起による剪断抵抗が小さくなりトラクションを発揮し難い傾向にある。
【００１７】
また、本発明に係る空気入りタイヤの装着方法は、上記の空気入りタイヤを、同軸位置の左右両側にて、タイヤ回転方向に対する前記突起の外側面の傾斜方向を互いに一致させて装着するものである。この場合、同軸位置の左右両側において、上述したタイヤの装着パターンが同じになることから、泥濘地または砂地での悪路走破性の改善効果が適切に奏され、上記した本発明の空気入りタイヤの装着方法として好ましいものとなる。
【図面の簡単な説明】
【００１８】
【図１】本発明に係る空気入りタイヤの一例を示す要部斜視図
【図２】空気入りタイヤのタイヤ子午線断面図
【図３】突起の１つを拡大した斜視図
【図４】タイヤの平面視における要部拡大図
【図５】突起の正面図
【図６】突起の断面図
【図７】本発明の空気入りタイヤが有するトレッド面の別例を示す図
【図８】本発明の空気入りタイヤの装着パターンを示す概念図
【図９】本発明の空気入りタイヤの装着パターンを示す概念図
【図１０】本発明の空気入りタイヤの装着パターンを示す概念図
【図１１】突起の別例を示す斜視図
【発明を実施するための形態】
【００１９】
以下、本発明の実施形態について、図面を参照しながら説明する。図１は、本発明に係る空気入りタイヤの一例を示す要部斜視図であり、タイヤ子午線断面を含んでいる。図２は、その空気入りタイヤのタイヤ子午線断面図である。
【００２０】
空気入りタイヤＴは、一対のビード部１と、そのビード部１からタイヤ径方向外側に延びるサイドウォール部２と、そのサイドウォール部２の各々のタイヤ径方向外側端に連なるトレッド部３とを備えたラジアルタイヤであり、一対のビード部１の間にはトロイダル形状のカーカス４が配設されている。ビード部１では、環状のビードコア１ａを介してカーカス４の端部が巻き上げられている。
【００２１】
トレッド部３のカーカス４の外周には、内外に積層された２枚のプライからなるベルト層６と、そのベルト層６の外周に積層されたベルト補強層７とが配設され、最外周にトレッドゴム８が設けられている。トレッドゴム８には、タイヤ周方向Ｒに連続して延びる主溝１０や、主溝１０に交差して延びる横溝１１が設けられ、それらにより複数のブロック１２が区画形成されている。なお、本発明のタイヤでは、トレッドパターンは特に限定されるものではない。
【００２２】
このタイヤＴのタイヤ幅方向両側のバットレス部９には、タイヤ周方向Ｒに沿って配置された複数の突起５からなる突起群が設けられている。バットレス部９は、サイドウォール部２のタイヤ径方向外側の部分であって、平坦な舗装路での通常走行時には接地しない部分である。但し、泥濘地や砂地など不整地の悪路では、車両の重みによりタイヤＴが容易に沈降し、泥や砂に埋没した状態でバットレス部９が接地することになる。このタイヤＴは、所謂オフロード用タイヤであり、そのような悪路の走行に供される。
【００２３】
突起群はタイヤ周方向Ｒに沿って環状に設けられ、各突起５は互いに間隔を設けながら連続的に配置されている。突起５は、接地端１３とタイヤ最大幅位置１４との間に配置されるが、好ましくは接地面からのタイヤ径方向の距離がＨ１の位置とＨ２の位置との間であって、Ｈ１＝１５ｍｍ、Ｈ２＝７０ｍｍである。当該範囲に突起５が位置することで、悪路走行時に突起５が路面に接地する頻度が高くなり、後述のように泥濘地でトラクションを効率的に発揮できる。また、接地面から１５ｍｍ未満となる位置では、横溝１１が開口しているために突起５の配置が困難になる場合がある。
【００２４】
図３は、突起５の１つを拡大した斜視図であり、図４は、タイヤＴの平面視における要部拡大図である。以後の説明の便宜上、タイヤ周方向Ｒの一方をＲ１とし、他方をＲ２として区別している。突起５は、タイヤ軸方向に沿って見たときに矩形をなし、タイヤ回転方向の前方と後方とで突出高さが異なる形状をしている。
【００２５】
突起５は、タイヤ幅方向外側を向いた外側面５ａを有し、タイヤ周方向の一方向であるＲ１方向に向かって突出高さが漸減するように外側面５ａを傾斜させている。更に、図４に示すように、突起群の各々は、タイヤ周方向Ｒに対する突起５の外側面５ａの傾斜方向を互いに一致させている。即ち、両バットレス部９の何れにおいても、突起５の突出高さがＲ１方向に向かって漸減しており、突起５の外側面５ａの傾斜方向はタイヤ赤道線ＣＬに関して互いに逆向きであって、本実施形態では線対称となっている。
【００２６】
泥濘地を含む悪路の走行では、Ｒ２方向がタイヤ回転方向の前方となるように、タイヤＴが装着される。したがって、泥濘地に沈み込んだ状態でタイヤＴを回転させると、突起５が突出高さの高い側を先頭にして泥濘地内を進行し、泥を的確に掻くことができる。その結果、突起５による剪断抵抗を確保し、トラクションを効果的に発生させることができる。かかるトラクションは両側のバットレス部９の各々にて発揮され、泥濘地において優れた悪路走破性を発揮できる。
【００２７】
また、泥濘地にタイヤＴが沈み込んだ状態では、主溝１０や横溝１１に泥が粘着し、踏面の溝が見掛け上消失するために駆動性能が低下しがちである。これを防ぐには、バットレス部９の突起５によりタイヤ側方の泥を積極的に掻き取り、踏面の泥の排出を促すことが有効である。かかる観点からも、両バットレス部９の突起５により泥を的確に掻くことのできる構成が有用となる。
【００２８】
他方、砂地を含む悪路の走行では、Ｒ１方向がタイヤ回転方向の前方となるように、タイヤＴが装着される。したがって、砂地に沈み込んだ状態でタイヤＴを回転させると、突起５が突出高さの低い側を先頭にして砂地内を進行するために砂の掻き出しが抑えられ、逆にタイヤ前方に砂を押し付けるように作用することで、接地面積を確保してタイヤの埋没の進行を防ぐことができる。かかる砂の掻き出しの抑制作用は両側のバットレス部９の各々にて発揮され、砂地において優れた悪路走破性を発揮できる。
【００２９】
バットレス部９におけるタイヤ表面からの突起５の最大突出高さｈは、５ｍｍ以上であることが好ましい。これにより、泥濘地の走行において突起５による剪断抵抗を確保し、悪路走破性を向上するのに十分なトラクションを発揮し易くなる。また、悪路に存在する岩などの突起物からバットレス部９を適切に保護して、タイヤＴの耐外傷性を高めることができる。
【００３０】
突起５のタイヤ径方向の最大長さＬ１とタイヤ周方向Ｒの最大長さＬ２は、それぞれ突出高さｈよりも大きい。長さＬ１または長さＬ２が高さｈよりも小さい場合には、突起５がヒレ状に形成されて剛性が低下するため、突起５の突出高さが十分であっても容易く撓んでしまい、泥濘地での突起５による剪断力が小さくなって十分なトラクションを発揮し難くなる。
【００３１】
バットレス部９の片側に設けられる突起５の個数は、接地端１３近傍のブロック列を構成するブロック１２の個数に対して、同一かそれ以上が好ましい。タイヤ周方向Ｒに隣接する突起５の間隔は、等間隔である必要はないが、１０〜８０ｍｍが好ましく、３０〜５０ｍｍがより好ましい。この間隔が１０ｍｍ未満であると突起５によるグリップ性が低下するため、また８０ｍｍを越えると突起５の個数が少なくなるため、十分なトラクションを発揮し難い傾向にある。なお、ここで言う突起５の間隔は、突起５の外側面５ａの間隔である。
【００３２】
図５に示すように、突起５は正面視にて矩形をなし、突出高さが低い側の縁部５ｂと、突出高さが高い側の縁部５ｃとが、それぞれタイヤ子午線ＭＬに平行に延びている。縁部５ｃがタイヤ子午線ＭＬに対して平行に延びることにより、泥濘地の走行では、タイヤ子午線ＭＬに平行な突起５の端面が泥を正面で受け止めて掻くことになる。そのため、突起５による剪断抵抗を効果的に増大して、トラクションを効率良く発揮することができる。
【００３３】
破線で示すように、縁部５ｂがタイヤ子午線ＭＬに対して傾斜し、Ｒ１方向に向かって先細りに形成されていてもよい。これにより、砂地の走行において、先細りとなる縁部５ｂを先頭にして突起５が砂地内を進行するため、突起５による砂の掻き出しを効果的に抑えて、タイヤの埋没の進行を好適に防ぐことができる。この破線で示した縁部５ｂのタイヤ子午線ＭＬに対する傾斜角度は、例えば３０〜６０度である。
【００３４】
図６は、タイヤ周方向Ｒに延在し且つバットレス部９におけるタイヤ表面の垂直方向または法線方向に延びる平面により突起５を切断したときの断面図である。突起５の突出高さが低い側の断面角度θ１は、突出高さが高い側の断面角度θ２よりも小さく、例えば５〜１５度に設定される。これにより、砂地の走行において、突起５が砂地内に円滑に進入し易くなるため、突起５による砂の掻き出しを効果的に抑えることができる。また、泥濘地の走行において突起５が泥を効率的に掻けるよう、角度θ２は例えば７５〜１００度に設定される。
【００３５】
突起５の形状は、上述したものに限られない。例えば、突起５の表面形状が図５のような矩形でなくてもよく、三角形やＶ字形その他の多角形でもよい。更には、突起５の断面形状が、図６のような三角形でなくてもよい。外側面５ａは、その一部または全部が湾曲面や屈曲面であっても構わない。また、突起５が全体的に傾斜した形状となるよう、突出高さが高い側の縁部５ｃから突起５のタイヤ周方向長さの１０％以内となる領域に、突出高さが最大となる部分を配置することが好ましい。突起群を構成する突起５の形状は、互いに同じ大きさや形状でなくてもよい。
【００３６】
本発明の空気入りタイヤが有するトレッドパターンは限定されるものではなく、車両に対するタイヤの装着方向が特に指定されるものではない。本実施形態では、図４に示すようにタイヤ赤道線ＣＬ上の点を中心にして点対称なパターンを有するが、かかる場合には、トレッドパターンに関連した装着方向の制約は生じないため、走破すべき悪路が泥濘地であるか砂地であるかに応じて、タイヤの装着方向を適宜に選択することができる。
【００３７】
また、図７に示すトレッド面は、図４のトレッド面に対して中央部のブロック１６が平行四辺形に形成されている点で異なるが、これも同様に点対称なパターンを有しており、トレッドパターンに関連した装着方向の制約が生じないものである。このように、装着方向に制約がない場合には、左右の何れに装着しても所定のタイヤ性能を発揮し得るため、限りあるスペアタイヤを有効に活用できる。
【００３８】
これに対し、装着方向に制約がある場合には、左右それぞれのスペアタイヤの保有を強いられるために不便である。また、回転方向によって駆動性能や制動性能が大きく異なるため、タイヤが損傷したなどの理由により意図するスペアタイヤを装着できない場合は、左右のタイヤの駆動力に差が生じ、特に軟弱路面を走行するに際して、車両駆動力伝達機構（ディファレンシャルギア）により駆動力の小さな側がスリップし易く、走行性能に悪影響を及ぼし易い。
【００３９】
とは言え、本発明は、タイヤ赤道線に関して非対称なトレッドパターン、若しくはタイヤ赤道線に対して線対称なトレッドパターンを有するものでも構わない。これらのパターンは所謂ワンウェイ（ＯｎｅＷａｙ）方向性を有するため、トレッドパターンとの関係で装着方向が指定されることになるが、悪路走破性を特段に重視する場合には、パターンの利点が得られないことを甘受して逆向きに装着することも可能であり、走破すべき悪路に応じて装着方向を選択し得る。また、泥濘地と砂地の何れか一方を重視する場合には、指定された装着方向において所望の悪路走破性が向上するように、予め突起の傾斜方向を設計しておくことも考えられる。
【００４０】
本発明の空気入りタイヤは、両側のバットレス部に上記の如き突起を設けたこと以外は、通常の空気入りタイヤと同等であり、従来公知の材料、形状、構造、製法などが何れも本発明に採用できる。
【００４１】
図８〜１０は、本発明の空気入りタイヤの装着パターンを示す概念図である。車両２０には、上記の空気入りタイヤＴが全輪に装着されており、それぞれをタイヤＴ１〜Ｔ４として区別している。図の上方向が車両前方であり、タイヤＴ１，Ｔ２は前輪側に、タイヤＴ３，Ｔ４は後輪側に装着されている。各タイヤの側方から突出した斜線は突起５であり、その外側面５ａの傾斜方向を表している。
【００４２】
タイヤＴ１〜４は、同軸位置の左右両側にて、タイヤ回転方向に対する突起５の外側面の傾斜方向を互いに一致させている。図８は、泥濘地の走破に適した装着パターンの例であり、Ｒ２方向（図３，４参照）がタイヤ回転方向の前方となるように、即ち突起５の外側面がタイヤ回転方向の後方に向かって突出高さが漸減するように装着したものである。この場合、前輪側及び後輪側の双方において、泥濘地での悪路走破性の改善効果が適切に奏される。
【００４３】
図９は、砂地の走破に適した装着パターンの例であり、Ｒ１方向（図３，４参照）がタイヤ回転方向の前方となるように、即ち突起５の外側面がタイヤ回転方向の前方に向かって突出高さが漸減するように装着したものである。この場合、前輪側及び後輪側の双方において、砂地での悪路走破性の改善効果が適切に奏される。図１０は、後輪側のみを図９とは逆向きに装着したパターンである。これは、前輪側でタイヤＴ１，Ｔ２の埋没の進行を防いで操舵性を確保できるため、後輪側では駆動力を重視して敢えて逆向きにしたものである。ドライバーによっては、このような装着パターンを採用することも考えられる。
【００４４】
［他の実施形態］
（１）前述の実施形態では、突起５の外側面５ａが平坦に形成された例を示したが、図１１に例示するように、突起５の外側面５ａの一部を複数の小突起１５を並べてなる凹凸面で形成してもよい。また、かかる凹凸面によって外側面５ａの全部を形成してもよい。これにより、泥濘地の走行時に、タイヤ回転時の遠心力に伴い、外側面５ａに粘着した泥を除去し易くなる。小突起１５は、それぞれタイヤ周方向Ｒに沿って突出高さを徐々に変化させ、タイヤ周方向に並設されている。外側面５ａを基準とした小突起１５の突出高さは、突起５の突出高さｈの１／２以下であることが好ましい。
【００４５】
（２）前述の実施形態では、タイヤ周方向Ｒに沿って突起５を１列で配置した例を示したが、これに限られるものではなく、例えば、突起５をタイヤ径方向にずらしながらタイヤ周方向に沿って千鳥状に配置してもよい。これにより、突起５の配設密度を高めて十分なトラクションを発揮し得ることから、泥濘地での悪路走破性を向上できる。
【符号の説明】
【００４６】
１      ビード部
２      サイドウォール部
３      トレッド部
５      突起
５ａ    外側面
５ｂ    突出高さが低い側の縁部
５ｃ    突出高さが高い側の縁部
９      バットレス部
１３    接地端
１４    タイヤ最大幅位置
１５    小突起
【図１】
2010188975.tif 000003
【図２】
2010188975.tif 000004
【図３】
2010188975.tif 000005
【図４】
2010188975.tif 000006
【図５】
2010188975.tif 000007
【図６】
2010188975.tif 000008
【図７】
2010188975.tif 000009
【図８】
2010188975.tif 000010
【図９】
2010188975.tif 000011
【図１０】
2010188975.tif 000012
【図１１】
2010188975.tif 000013